(57)【特許請求の範囲】
【請求項１】
磁気テープを巻装した単一のリールがカートリッジケース内に回転可能に収容され、かつ前記磁気テープの一端を引き出すためのテープ引出し用開口部を開閉するスライドドアが、バネ部材の付勢力により閉位置に復帰する態様で前記カートリッジケースに設けられ、閉位置に保持するロック機構を備えている磁気テープカートリッジであって、
前記スライドドアは、その閉方向前端部に一体に突設され該スライドドアを閉位置にロックするための係合部材を備え、該係合部材は、前記スライドドアに一端が連結され他端が前方へ延びる可撓性を有する脚部と、該脚部の先端側方に突出して形成された係合突起と、前記脚部に連結して該係合突起と反対側に延びて形成された開作動外力を受ける作用部とからなり、
前記カートリッジケースの前記テープ引出用開口部の端部には、前記スライドドアが閉位置にあるときに該スライドドアの前端部の前記係合部材が挿入される凹部が形成され、該凹部の一端に、前記係合部材の係合突起が係入し得る係合凹部が形成されてなり、
前記スライドドアが閉移動するとき、前記係合部材の係合突起が前記カートリッジケースの凹部の一端に当接して脚部が撓み、前記係合突起が前記係合凹部内に係入してスライドドアが自動的に閉位置にロックされ、外部装置への挿入に伴って、前記係合部材の作用部に対し開方向に外力が作用して前記脚部が撓み、前記係合突起と前記係合凹部との係合が外れてスライドドアのロックが自動的に解除され開動作されるロック機構を備えたことを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、磁気テープの一端を引き出すためのテープ引出用開口部を開閉するスライドドアを備えた磁気テープカートリッジにおける上記スライドドアのロック機構に関するものである。
【０００２】
【従来の技術】
従来、コンピュータ等の外部記憶装置に用いられる記録媒体として使用されている磁気テープカートリッジには、磁気テープを巻装した単一のリールが、上ハーフと下ハーフとからなるほぼ正方形の平面形を有する偏平なカートリッジケース内に回転可能に収容されているものがある。これらの磁気テープカートリッジは主としてコンピュータメモリのバックアップとして用いられる。
【０００３】
従来のこの種の磁気テープカートリッジには、例えば２種類の形式があって、その１つは、不使用時に磁気テープが完全にリールに巻き込まれた状態で、磁気テープの先端部分が、カートリッジケースの一隅に形成されたテープ引出し用開口部を覆うように収容されるリーダーブロックに係止されるように構成されている。
【０００４】
また、他の形式のものは、カートリッジケースの一側壁に形成されたテープ引出し用開口部にカートリッジ平面方向に回動開閉可能なリッドが、閉位置に向かってばね付勢された態様で、かつカートリッジ不使用時には回動しないように、ロック位置にばね付勢されたリッドロックにより閉位置に係止される態様で取り付けられていて、このテープ引出し用開口部内に組み込まれるフックに磁気テープの先端部分が係止されるように構成されたものとがある。
【０００５】
このような構成を有する磁気テープカートリッジが、対応する外部記憶装置の記録再生装置にセットされると、下ハーフの中央部に露呈しているリールの係合歯に装置側の回転駆動手段が係合するとともに、前者の場合には、装置側のテープ引出し機構により上記リーダーブロックがそのまま磁気テープとともに引き出されることによって、また後者の場合には、装置側のテープ引出し機構により先にリッドが開かれてから、上記フックが磁気テープとともに引き出されることによって、磁気テープがテープ走行路の所定位置に引き込まれ、磁気テープへのデータの書込み／読出しが可能になる。
【０００６】
【発明が解決しようとする課題】
ところで、上述した２種類の磁気テープカートリッジのうち、前者のリーダーブロックを用いるものは、テープ引出しに際してリーダーブロックを掴んで引き出すだけでよいから装置側のテープ引出し機構が簡単になる長所はあるものの、カートリッジ不使用時にテープ引出し用開口部とリーダーブロックとの間の隙間からカートリッジ内部に塵埃が侵入しやすいという欠点があった。
【０００７】
一方、後者の開閉リッド形式のものは、カートリッジ内部に塵埃が侵入しやすいという問題は解決されてはいるものの、テープ引出しに際して、先ずリッドロックを解除してからリッドを開かなければならないから、装置側のテープ引出し機構が複雑になるとともに、回動型のリッドの回動スペースを必要とするという問題があった。また、カートリッジ側においても、カートリッジ組立て時において、リッド付勢用のトーションばねおよびリッドロック付勢用のコイルばねの組み込みに工数を要するという問題もあった。
【０００８】
そこで、テープ引出し用開口部を開閉するためのスライドドアを備えた構成が提案されている。その場合、テープ引出用開口部の内側には、磁気テープの先端部分をクランプしたリーダーピンが収容されており、この磁気テープカートリッジが対応する外部記憶装置等の記録再生装置に挿入されると、装置側の部材によってスライドドアが開かれ、かつテープ引出し機構によりリーダーピンが磁気テープとともに装置側に引き込まれることによって、磁気テープが装置側にセットされ、磁気テープに対するデータの書込み／読出しが可能になる。
【０００９】
このようなスライドドアを備えた構成においては、このスライドドアを安定に閉位置に保持するためには何等かのロック機構を設けることが好ましいが、ロック機構を設けると、スライドドアの開動作時にロックを解除しなければならないため、構造が複雑になるという問題が発生する。
【００１０】
上述の事情に鑑み、本発明は、磁気テープを巻装した単一のリールがカートリッジケース内に回転可能に収容され、かつ磁気テープの一端を引き出すためのテープ引出し用開口部を開閉するスライドドアがカートリッジケースに設けられている磁気テープカートリッジにおいて、少なくともスライドドアの開動作時に、外部装置側の部材によるスライドドアの開方向への押圧に伴って、上記ロック機構によるロックを自動的に解除することができる磁気テープカートリッジを提供することを目的とするものである。
【００１１】
【課題を解決するための手段】
本発明においては、上記スライドドアが、その閉方向前端部に一体に突設され該スライドドアを閉位置にロックするための係合部材を備え、該係合部材は、前記スライドドアに一端が連結され他端が前方へ延びる可撓性を有する脚部と、該脚部の先端側方に突出して形成された係合突起と、前記脚部に連結して該係合突起と反対側に延びて形成された開作動外力を受ける作用部とからなり、
前記カートリッジケースの前記テープ引出用開口部の端部には、前記スライドドアが閉位置にあるときに該スライドドアの前端部の前記係合部材が挿入される凹部が形成され、該凹部の一端に、前記係合部材の係合突起が係入し得る係合凹部が形成されてなり、
前記スライドドアが閉移動するとき、前記係合部材の係合突起が前記カートリッジケースの凹部の一端に当接して脚部が撓み、前記係合突起が前記係合凹部内に係入してスライドドアが自動的に閉位置にロックされ、外部装置への挿入に伴って、前記係合部材の作用部に対し開方向に外力が作用して前記脚部が撓み、前記係合突起と前記係合凹部との係合が外れてスライドドアのロックが自動的に解除され開動作されるロック機構を備えたことを特徴とするものである。
【００１２】
【発明の効果】
本発明によれば、スライドドアがバネ部材の付勢力で閉位置に復帰するのに伴ってスライドドアが可撓性係合部材によって自動的に閉位置にロックされ、かつ、スライドドアを開動作時に上記係合部材を介してスライドドアに作用する押圧力によって係合部材がロック解除方向に撓まされるように構成されているから、これによって上記ロックが自動的に解除され、極めて簡易な構成によりスライドドアの閉位置でのロックと、スライドドア開閉動作とをスムーズに行なうことができる利点がある。
【００１３】
【発明の実施の形態】
以下、本発明の実施の形態を図面に基づいて詳細に説明する。
【００１４】
図１および図２は、本発明による磁気テープカートリッジの斜視図を示し、図１はそのスライドドアの閉状態を、図２はスライドドアの開状態をそれぞれ示す。
【００１５】
磁気テープカートリッジには、上ハーフ１ａと下ハーフ１ｂとからなるカートリッジケース１内に、磁気テープを巻装した単一のリールが回転可能に収容されている。カートリッジケース１の一側壁には、磁気テープの一端を引き出すためのテープ引出用開口部２が上ハーフ１ａと下ハーフ１ｂとに跨がって、かつコーナー部に近接して形成されているとともに、このテープ引出用開口部２を開閉するスライドドア３が摺動自在に設けられている。
【００１６】
テープ引出用開口部２の内側の凹部６内には、図２から明らかなように、磁気テープの先端部分をクランプしたリーダーピン４が収容されており、この磁気テープカートリッジが対応する外部記憶装置等の記録再生装置に図２の矢Ａ方向に挿入されると、下ハーフ１ｂの中央部の開口に露呈している図示しないリールの係合歯に装置側の回転駆動手段が係合するとともに、磁気テープカートリッジの外部装置への挿入に伴って、外部装置側の部材がスライドドア３の前端部３ａに当接して開かれ、かつ外部装置側のテープ引出し機構によりリーダーピン４が磁気テープとともに外部装置に引き込まれることによって、磁気テープが外部装置にセットされ、磁気テープに対するデータの書込み／読出しが可能になる。
【００１７】
リーダーピン４は、上ハーフ１ａの下面および下ハーフ１ｂの上面に開口部２に臨んでそれぞれ形成された凹部６間に着脱自在に係止される。また、カートリッジケース１の一側には、磁気テープの消去および二重書込みを防止するための回動式の操作つまみ５が露出している。
【００１８】
図３〜図５は、本発明による磁気テープカートリッジにおけるスライドドアのロック機構の実施の形態を示す図で、図３はカートリッジケース１の要部とともにスライドドア３の前端部３ａの形状を示す正面図、図４はスライドドア３が閉位置にロックされた状態を示す要部正面図、図５は、図４の状態からスライドドア３に対し開方向に力が作用したときの状態を示す要部正面図である。
【００１９】
テープ引出用開口部２を開閉するスライドドア３は図示しないバネ部材によって図の右方、すなわち閉位置に向かって付勢されており、スライドドア３の閉方向の前端部３ａ、すなわちスライドドア３が閉作動されるときのリーディング側（開作動されるときのトレーリング側）の端部には、スライドドア３を閉位置にロックするための係合部材７が一体に突設されている。
【００２０】
この係合部材７は、スライドドア３に一端が連結され、他端が前方（図の右方）へ延びる可撓性を有する脚部７ａと、脚部７ａの先端に形成され側方に突出して上方に面する係合突起７ｂと、脚部７ａの先端に連結して係合突起７ｂと反対側に下方へ垂下して延び、スライドドア３が開作動されるときの外力を受ける作用部７ｃとからなっている。そしてこの作用部７ｃに、磁気テープカートリッジが外部装置へ挿入されるのに伴って、外部装置側の部材が当接してスライドドア３を開方向に押圧する力が作用するように構成されている。
【００２１】
一方、カートリッジケース１のテープ引出用開口部２の端部に臨む壁端には、スライドドア３が閉位置にあるときにスライドドア３の前端部３ａの係合部材７が挿入される凹部８が形成されているとともに、この凹部８の上端に、係合部材７の係合突起７ｂが係入し得る係合凹部９が形成されている。
【００２２】
以上の構成において、スライドドア３が図示しないバネ部材の付勢力により、図３に示す状態から閉位置に向かって移動するとき、係合部材７の係合突起７ｂがカートリッジケース１の凹部８の上部内壁面８ａに当接すると、係合部材７の脚部７ａが下方へ撓み、これにより、係合部材７の凹部８内への挿入が許容される。そして、スライドドア３が閉位置に達すると、図４に示すように、その係合突起７ｂが上記係合凹部９内に係入して、スライドドア３が自動的に閉位置にロックされる。
【００２３】
次に、スライドドア３が閉位置にロックされた状態で磁気テープカートリッジが外部装置への挿入されるときには、この挿入に伴って、スライドドア３に設けられている係合部材７の作用部７ｃに対し図５の右方向から力が作用するようになっている。したがって、係合部材７の脚部７ａが下方へ撓み、係合突起７ｂと係合凹部９との係合が外れるから、スライドドア３のロックが自動的に解除され、スライドドア３の開動作が許容される。
【００２４】
以上の説明で明らかなように、本実施の形態においては、スライドドア３がバネ部材の付勢力で閉位置に復帰するのに伴ってスライドドア３が自動的に閉位置にロックされ、また、スライドドア３を開動作時に、スライドドア３に設けられている係合部材７の作用部７ｃを介してスライドドア３を開方向に押圧する力が作用するため、係合部材７が弾性的に下方へ撓まされて上記ロックが自動的に解除される。
【００２５】
このように、本実施の形態によれば、極めて簡易な構成により、スライドドア３の閉位置でのロックと、スライドドア３の開閉動作とをスムーズに行なうことができる。
【図面の簡単な説明】
【図１】  本発明による磁気テープカートリッジを、スライドドアの閉状態で示す斜視図
【図２】  図１の磁気テープカートリッジを、スライドドアの開状態で示す斜視図
【図３】    本発明による磁気テープカートリッジにおけるスライドドアのロック機構の実施の形態を示す正面図
【図４】  図３のロック機構においてスライドドアが閉位置にロックされた状態を示す要部正面図
【図５】  図４の状態からスライドドアに開方向に力が作用したときの状態を示す要部正面図
【符号の説明】
１    カートリッジケース
１ａ    上ハーフ
１ｂ    下ハーフ
２    テープ引出用開口部
３    スライドドア
４    リーダーピン
７    係合部材
７ａ    係合部材の脚部
７ｂ    係合部材の係合突起
７ｃ    係合部材の作用部
９    係合凹部
【図１】
0003989613.tif 000002
【図２】
0003989613.tif 000003
【図３】
0003989613.tif 000004
【図４】
0003989613.tif 000005
【図５】
0003989613.tif 000006